(57)【要約】【課題】照明用ランプが人為的ミスにより点消灯されることが抑制され、または点消灯の操作の煩わしさが解消され、さらに点消灯させたくない照明用ランプが点消灯されることが防止される照明制御システムを提供する。【解決手段】照明制御システム１は、照明用ランプの点消灯状態および照明用ランプの点消灯を変更させるときの確認メッセージ２３Ｃを表示する表示手段８と、記憶手段１２に記憶されている照明回路２のオン／オフの回数を予め設定した基準値と比較し、当該比較に応じた信号を出力するオン／オフ回数比較手段１３と、オン／オフ回数比較手段１３の出力信号に応じて、確認メッセージ２３Ｃを表示手段８に表示させる制御手段１６を具備している。【選択図】図２
2005166272.tif 000002
【特許請求の範囲】
【請求項１】
制御信号に応じて照明用ランプをオン／オフする複数個の照明回路と；
照明用ランプの点消灯状態および照明用ランプの点消灯を変更させるときの確認メッセージを表示する表示手段と；
照明回路のオン／オフの回数をカウントするオン／オフ回数カウント手段と；
オン／オフ回数カウント手段によりカウントされた照明回路のオン／オフの回数を記憶する記憶手段と；
記憶手段に記憶されている照明回路のオン／オフの回数を予め設定した基準値と比較し、当該比較に応じた信号を出力するオン／オフ回数比較手段と；
オン／オフ回数比較手段の出力信号に応じて、前記確認メッセージを表示手段に表示させる制御手段と；
を具備していることを特徴とする照明制御システム。
【請求項２】
照明回路をオン／オフ制御をすることができるように許可されている状態または照明回路をオン／オフ制御することができないように禁止されている状態を設定する許可／禁止設定手段と；
を備え、
制御手段は、点消灯が変更される照明用ランプに対応する照明回路が許可／禁止設定手段により許可に設定されているとき、オン／オフ回数比較手段の出力信号に応じて、前記確認メッセージを表示手段に表示させることを特徴とする請求項１記載の照明制御システム。
【発明の詳細な説明】
【技術分野】
【０００１】
本発明は、照明用ランプを遠隔地から点消灯制御することのできる照明制御システムに関する。
【背景技術】
【０００２】
表示装置の画面上で、遠隔地に配設されている照明用ランプの点消灯状態を一括して監視するとともに、各照明用ランプの点消灯を行う照明制御システムが提供されている（例えば、特許文献１参照。）。この照明制御システムは、例えば、表示装置に表示されたモニタ画面を見ながらモニタ画面上で必要に応じて手動モードに設定されているブロックの照明用ランプの現在のＯＮ，ＯＦＦ状態をこれと逆の状態に設定変更することにより、遠隔地の事務所から遠隔操作で照明用ランプを点灯または消灯することができる。
【特許文献１】特開平１１−１１１４７０号公報（第８頁、第４図）
【発明の開示】
【発明が解決しようとする課題】
【０００３】
特許文献１は、照明用ランプのＯＮ，ＯＦＦ状態を設定変更することにより、照明用ランプが点灯または消灯されるので、当該設定変更に人為的ミスがあると、照明用ランプが誤って点灯または消灯され、さらに、その人為的ミスに気づかないと当該点灯または消灯が継続されるという欠点を有する。
【０００４】
また、特許文献１は、特定の照明用ランプのＯＮ，ＯＦＦ状態の制御を禁止する手段を具備していないので、ＯＮ，ＯＦＦ状態の変更をさせたくない照明用ランプが人為的ミスにより、誤って点消灯されるおそれがあるという欠点を有する。
【０００５】
本発明は、照明用ランプが人為的ミスにより点消灯されることが抑制され、または点消灯の操作の煩わしさが解消され、さらに点消灯させたくない照明用ランプが点消灯されることが防止される照明制御システムを提供することを目的とする。
【課題を解決するための手段】
【０００６】
請求項１に記載の照明制御システムの発明は、制御信号に応じて照明用ランプをオン／オフする複数個の照明回路と；照明用ランプの点消灯状態および照明用ランプの点消灯を変更させるときの確認メッセージを表示する表示手段と；照明回路のオン／オフの回数をカウントするオン／オフ回数カウント手段と；オン／オフ回数カウント手段によりカウントされた照明回路のオン／オフの回数を記憶する記憶手段と；記憶手段に記憶されている照明回路のオン／オフの回数を予め設定した基準値と比較し、当該比較に応じた信号を出力するオン／オフ回数比較手段と；オン／オフ回数比較手段の出力信号に応じて、前記確認メッセージを表示手段に表示させる制御手段と；を具備していることを特徴とする。
【０００７】
本発明および以下の発明において、特に言及しない限り、各構成は以下による。
【０００８】
照明回路は、リレーなどの開閉機器を許容する。
【０００９】
照明用ランプの点消灯状態は、個別またはグループ毎あるいはゾーン毎のいずれで表示されてもよい。
【００１０】
記憶手段は、メモリの他、磁気ディスクなどの記憶媒体を許容する。
【００１１】
オン／オフ回数比較手段は、照明回路毎に、照明回路のオン／オフの回数と基準値を比較して当該比較に応じた信号を出力してもよく、あるいは、全ての照明回路において、照明回路のオン／オフの回数が基準値を下回るときに例えばロウ信号を出力し、照明回路のいずれかにおいて、当該オン／オフの回数が基準値以上のときに例えばハイ信号を出力するものであってもよい。
【００１２】
照明回路のオン／オフの回数が基準値を下回っているときは、照明用ランプの点消灯の操作に慣れていなく、オン／オフの回数が基準値以上であるときは、当該点消灯の操作に慣れていると判断するものである。そして、照明用ランプの点消灯の操作に慣れていないとき、照明ランプの点消灯状態の変更の確認を行わせ、当該点消灯の操作に慣れているとき、当該変更の確認を省略する。これにより、照明用ランプの点消灯の操作の慣れに応じて、当該操作の煩わしさが解消されて、当該操作に融通性がもたらされる。
【００１３】
本発明によれば、照明用ランプの点消灯状態が変更されるとき、照明回路のオン／オフの回数と予め設定した基準値の比較に応じて、当該照明用ランプの点消灯を変更することの確認メッセージが表示手段に表示され、または確認メッセージが表示手段に表示されずに、直接的に当該照明用ランプの点消灯の制御が行われる。したがって、確認メッセージを確認することにより、照明用ランプが誤って点消灯されることが抑制され、または直接的に照明用ランプの点消灯が制御されることにより、照明用ランプの点消灯の変更に対する操作時間が短縮化され、操作の煩わしさが解消される。
【００１４】
請求項２に記載の照明制御システムの発明は、請求項１記載の照明制御システムにおいて、照明回路をオン／オフ制御をすることができるように許可されている状態または照明回路をオン／オフ制御することができないように禁止されている状態を設定する許可／禁止設定手段と；を備え、制御手段は、点消灯が変更さる照明用ランプに対応する照明回路が許可／禁止設定手段により許可に設定されているとき、オン／オフ回数比較手段の出力信号に応じて、前記確認メッセージを表示手段に表示させることを特徴とする。
【００１５】
本発明によれば、照明用ランプの点消灯が変更されるとき、許可／禁止設定手段により当該照明用ランプに対応する照明回路のオン／オフ制御が許可の状態に設定されているとき、制御手段により、照明用ランプの点消灯が制御されることになるので、前もって点消灯させたくない照明用ランプを誤って点消灯することが防止される。
【発明の効果】
【００１６】
請求項１の発明によれば、照明回路のオン／オフの回数と予め設定した基準値の比較に応じて表示手段に表示された確認メッセージにより、当該照明用ランプの点消灯を変更することの確認をすることにより、照明用ランプが誤って点消灯することを抑制することができる。また、前記比較の他方に応じて照明用ランプの点消灯が制御されることにより、照明用ランプの点消灯の変更に対する操作時間を短縮することができ、当該操作に対する煩わしさを解消することができる。
【００１７】
請求項２の発明によれば、照明用ランプの点消灯が変更されるとき、許可／禁止設定手段により当該照明用ランプに対応する照明回路のオン／オフ制御が許可の状態に設定されているとき、照明用ランプの点消灯が制御されるので、前もって点消灯させたくない照明用ランプが誤って点消灯されることを防止することができる。
【発明を実施するための最良の形態】
【００１８】
以下、本発明の一実施の形態について、図面を参照して説明する。まず、本発明の第１の実施形態について説明する。
【００１９】
図１〜図１０は、本発明の第１の実施形態を示し、図１は照明制御システムであり、（ａ）は照明主盤を有するブロック図、（ｂ）は照明主盤を有しないブロック図、図２は照明制御装置のブロック図、図３は照明用ランプの点消灯状態を示す表示画面図、図４は照明用ランプの点消灯状態の変更を示す表示画面図、図５は記憶部に記憶されている照明回路のオン／オフの回数であり、（ａ）は当日および前日の回数の表示図、（ｂ）は日にちが更新されたときの回数の表示図、図６は照明用ランプの点消灯制御の可否を示す表示画面図、図７は照明用ランプの点消灯の制御の完了を示す表示画面図、図８は照明用ランプの点消灯状態の変更を示すフロー図、図９は照明用ランプの点消灯制御の可否のフロー図、図１０は照明用ランプの点消灯制御の完了のフロー図である。
【００２０】
照明制御システム１は、複数個の照明回路２と、照明制御装置３とが、図１（ａ）に示すように、照明主盤４を介して、または、図１（ｂ）に示すように、直接、通信ケーブル５により接続して構成されている。
【００２１】
照明回路２は、それぞれ少なくとも１つの照明装置６に接続されている。この照明装置６は、少なくとも１本の照明用ランプ（図示しない。）を配設している。照明回路２は、通信ケーブル５を介して照明制御装置３または照明主盤４から伝送された制御信号に応じて照明装置６に配設されている照明用ランプをオン／オフするように構成されている。照明回路２および照明装置６は、照明制御装置３より遠隔地または遠隔の場所に配設されている。
【００２２】
照明制御装置３は、照明回路２（照明用ランプ）を監視制御するものであり、図２に示すように、入力手段７、表示手段としての表示装置８、点消灯状態画面生成手段９、点消灯設定手段１０、オン／オフ回数カウント手段１１、記憶手段としての記憶部１２、オン／オフ回数比較手段１３、制御手段を構成する制御確認画面生成手段１４、制御手段を構成する点消灯可否設定手段１５、制御手段を構成する主制御部１６、操作応答画面生成手段１７、出力インターフェース（Ｉ／Ｆ）部１８および計時部１９を有して構成されている。照明制御装置３は、例えばパーソナルコンピュータで構成することができる。
【００２３】
入力手段７は、例えばキーボードやマウスなどであり、所定の手動操作を行うことにより、この操作に対応した信号を主制御部１６に出力して、表示装置８の画面に文字や画像、照明用ランプの点消灯状態などを表示させるものである。
【００２４】
表示装置８は、例えばＣＲＴ等で構成され、表示制御用インターフェース（Ｉ／Ｆ）部２０を介して主制御部１６に接続されている。そして、主制御部１６からの制御信号に応じて、照明用ランプの点消灯状態や照明用ランプの点消灯を変更させるときの確認メッセージなどを表示するように構成されている。
【００２５】
点消灯状態画面生成手段９は、表示装置８の画面に表示されたメニューモードの中から、入力手段７の操作により選択された点消灯状態のモードにしたがい、照明用ランプの点消灯状態を表示装置８の画面に表示させるように構成されている。一例として、図３に、表示装置８の画面に表示された照明用ランプの点消灯状態の表示画面２１を示す。この表示画面２１において、点灯または消灯している状態は、照明回路２毎に、照明回路２の番号（アドレス）の表示領域２１Ａに対応するそれぞれの表示領域２１Ｂ，２１Ｃに文字が表示され、かつ表示領域２１Ｂ，２１Ｃを明るくしている。一方、他方の表示領域２１Ｂ，２１Ｃには、文字を表示しないとともに、薄暗くしている。この薄暗い状態は、図中、網掛けで表している。また、表示装置８の画面には、所定の数量の照明回路２に対する照明用ランプの点消灯状態が表示され、表示画面２１をスクロールすることによって、順次、各照明回路２に対する照明用ランプの点消灯状態がそれぞれの表示領域２１Ｂ，２１Ｃに表示されるようにしている。
【００２６】
点消灯設定手段１０は、表示装置８の画面に表示された点消灯状態画面生成手段９による表示画面２１において、入力手段７の操作により、照明用ランプの点消灯状態を変更して設定するように構成されている。図３において、例えば、照明回路２の番号（１−１−２）に対応する照明用ランプを点灯から消灯に変更するとき、消灯用の表示領域２１Ｃにマウスのポインタ２２を移動させ、マウスでクリックすることにより、図４に示すように、点灯の文字が消されて点灯用の表示領域２１Ｂは薄暗くなり、消灯用の表示領域２１Ｃに消灯の文字が表示されるとともに、当該表示領域２１Ｃが明るくなる。また、例えば、照明回路２の番号（１−６４−３）に対応する照明用ランプを消灯から点灯に変更するとき、点灯用の表示領域２１Ｂにマウスのポインタ２２を移動させ、マウスでクリックすることにより、消灯の文字が消されて消灯用の表示領域２１Ｃは薄暗くなり、点灯用の表示領域２１Ｂに点灯の文字が表示されるとともに、当該表示領域２１Ｂが明るくなる。
【００２７】
このように、点消灯設定手段１０により、照明用ランプの点消灯状態が変更されるように設定される。ここで、点灯から消灯または消灯から点灯に変更されたそれぞれの状態は、後述の主制御部１６によって照明用ランプの点消灯が制御された後に確定する。すなわち、照明用ランプが実際に点灯または消灯された後に確定する。そして、所定期間例えば１０分以内に、主制御部１６による照明用ランプの点消灯が制御されないとき、上述した点消灯設定手段１０による変更の設定は解除され、照明用ランプの点消灯状態は、当初の状態となる。この所定期間、消灯または点灯の文字を点滅させてもよく、当該表示領域２１Ｂ，２１Ｃを点滅させるようにしてもよい。
【００２８】
オン／オフ回数カウント手段１１は、照明回路２毎に、照明回路２のオン／オフの回数を１日にわたってカウントするように構成されている。当該カウントは、例えば主制御部１６の制御により照明回路２をオン／オフさせる制御信号が出力された時になされる。ここで、１日とは、例えば０〜２４時の期間を示す。
【００２９】
そして、記憶部１２は、不揮発性のメモリを有してなり、オン／オフ回数カウント手段１１によりカウントされた照明回路２のオン／オフの回数を、図５（ａ）に示すように、少なくとも当日および前日の２日にわたって、照明回路２毎に記憶するように形成されている。すなわち、記憶部１２は、照明回路２毎の当日および前日のオン／オフの回数を記憶させる記憶領域を有している。そして、午前０時になると、図５（ｂ）に示すように、当日のオン／オフの回数を前日の記憶領域に上書きして記憶させるとともに、当日の記憶領域をクリアする。そして、当日の記憶領域に、順次、オン／オフ回数カウント手段１１によりカウントされた照明回路２のオン／オフの回数を記憶するようにしている。
【００３０】
オン／オフ回数比較手段１３は、前日の照明回路２のオン／オフの回数を照明回路２毎に記憶部１２から読み出し、それぞれのオン／オフの回数を予め設定した基準値と比較して、当該比較に応じた信号を出力するように構成されている。例えば、全ての照明回路２のうちの１つの照明回路２の前日のオン／オフの回数が基準値以上であるときにハイ信号を出力し、全ての照明回路２の当該オン／オフの回数が基準値を下回っているときにロウ信号を出力するものである。基準値は、適宜の回数例えば１０回であり、予め設定されて、記憶部１２に記憶されている。
【００３１】
制御確認画面生成手段１４は、点消灯設定手段１０により照明用ランプの点消灯状態が変更されるように設定されたときに、オン／オフ回数比較手段１１よりロウ信号が出力されていると、照明用ランプの点消灯制御の可否、すなわち確認メッセージを表示装置８の画面に表示させるように構成されている。すなわち、点消灯状態を変更するよう設定した照明用ランプを実際に点消灯させてもよいか否かを操作者に実行させる。
【００３２】
また、点消灯可否設定手段１５は、制御確認画面生成手段１４により表示装置８の画面に表示させた表示画面において、マウスやキーボードなどの入力手段７を操作することにより、照明用ランプの点消灯制御の可否を設定するように構成されている。
【００３３】
例えば、図３において、番号（１−６４−３）の照明回路２に対応する照明用ランプを消灯から点灯に変更したときに、全ての照明回路２の前日のオン／オフの回数が基準値例えば１０回を下回っていると、制御確認画面生成手段１４は、図６に示すように、設定（指定）した番号（１−６４−３）の照明回路２に対応する照明用ランプを点灯することに対する可否の表示画面２３を形成する。すなわち、表示画面２３に、「指定した回路を  点灯  してもよろしいですか？」の確認メッセージ２３Ｃが表示され、さらに許可を選択する「ＯＫ」の文字およびその表示領域２３Ａと拒否を選択する「キャンセル」の文字およびその表示領域２３Ｂが形成される。
【００３４】
そして、マウスでポインタ２２を表示領域２３Ａに移動させてクリックすることにより、点消灯設定手段１０により設定（指定）した照明回路２（番号：１−６４−３）に対応する照明用ランプを点灯することが許可に設定される。一方、マウスでポインタ２２を表示領域２３Ｂに移動させてクリックすることにより、設定（指定）した照明回路２（番号：１−６４−３）に対応する照明用ランプを点灯することが拒否（不許可）に設定されるとともに、点消灯設定手段１０による当該変更の設定が解除される。
【００３５】
主制御部１６は、ＣＰＵ、ＲＡＭおよびプログラムが格納されたＲＯＭなどを有して構成されている。そして、主制御部１６は、点消灯可否設定手段１５により照明用ランプの点消灯の制御が許可に設定されたとき、照明回路２のオン／オフ状態が逆の状態に変更される制御信号を出力インターフェース（Ｉ／Ｆ）部１８から出力させ、照明用ランプの点消灯を制御するように形成されている。例えば、図６において、表示領域２３Ａがマウスでクリックされると、主制御部１６は、番号（１−６４−３）の照明回路２に対して、当該照明回路２をオフ状態にする制御信号から逆のオン状態にする制御信号を出力させる。これにより、当該照明回路２がオンして、当該照明回路２に接続されている照明装置６の照明用ランプは点灯する。
【００３６】
また、主制御部１６は、点消灯設定手段１０により照明用ランプの点消灯状態が変更されるように設定され、かつオン／オフ回数比較手段１３よりハイ信号が出力されているとき、照明回路２のオン／オフ状態が逆の状態に変更される制御信号を出力させ、照明用ランプの点消灯を制御するように形成されている。すなわち、図３〜図４において、番号（１−６４−３）の照明回路２に対応する照明用ランプの点消灯状態が消灯から点灯に設定されたときに、記憶部１２に記憶されている全ての照明回路２のオン／オフの回数のうち、１つの照明回路２のオン／オフの回数が基準値例えば１０回以上であるとき、主制御部１６は、番号（１−６４−３）の照明回路２をオンにさせて、当該照明回路２に接続されている照明装置６の照明用ランプを点灯させる。また、照明用ランプの点消灯状態が点灯から消灯に設定された番号（１−１−２）の照明回路２に対しては、当該照明回路２をオフにさせて、当該照明回路２に対応する照明用ランプを消灯させる。
【００３７】
そして、操作応答画面生成手段１７は、オン／オフ回数比較手段１１よりハイ信号が出力されて、主制御部１６により照明用ランプの点消灯が制御されたとき、当該制御の完了を表示装置８に表示させるように構成されている。例えば、図４に示す番号（１−６４−３）の照明回路２のように、照明回路２に対応する照明用ランプの点消灯状態が消灯から点灯に設定されて当該照明用ランプが点灯されたとき、図７に示すように、表示画面２４に、例えば「指定した回路を  点灯  しました。」のメッセージを表示させる。また、図４に示す番号（１−１−２）の照明回路２のように、照明回路２に対応する照明用ランプの点消灯状態が点灯から消灯に設定されて当該照明用ランプが消灯されたときは、「指定した回路を  消灯  しました。」のメッセージを表示させる。
【００３８】
出力インターフェース（Ｉ／Ｆ）部１８は、照明主盤４または各照明回路２に接続され、主制御部１６の制御に応じて照明回路２をオンまたはオフさせる制御信号などを出力し、照明回路２のオン／オフの状態の監視データなどを主制御部１６に送出するように構成されている。
【００３９】
計時部１９は、日時分秒を計時するように構成されている。
【００４０】
そして、図１において、照明主盤４は、照明制御装置３と同様、例えば図示しない手動スイッチにより、個別にまたはグループ別に、照明回路２をオン／オフさせて、照明装置６の照明用ランプを点消灯させることができるように構成されている。
【００４１】
次に、本発明の第１の実施形態の作用について述べる。
【００４２】
図８は、照明用ランプの点消灯状態の変更をしたときの照明制御装置３のフロー図であり、以下、図８に基づいて説明する。
【００４３】
遠隔地に配設されている照明装置６の照明用ランプを点消灯させるときは、まず、マウスなどの入力手段７を操作して点消灯状態画面生成手段９を動作させ、表示装置８の画面に、図３に示すように、現在の照明用ランプの点消灯状態の表示画面２１を表示させる（ステップＳ１）。
【００４４】
そして、表示画面２１において、点灯または消灯させたい照明用ランプに対応する照明回路２の番号の点灯用の表示領域２１Ｂまたは消灯用の表示領域２１Ｃにポインタ２２を移動させ、マウスをクリックする（ステップＳ２）。例えば、照明回路２の番号（１−１−２）に対応する照明用ランプを点灯状態から消灯状態に変更するときは、当該照明回路２の番号の表示領域２１Ｃにポインタ２２を移動させてマウスをクリックし、照明回路２の番号（１−６４−３）に対応する照明用ランプを消灯状態から点灯状態に変更するときは、当該照明回路２の番号の表示領域２１Ｂにポインタ２２を移動させてマウスをクリックする。
【００４５】
これにより、点消灯設定手段１０が動作して、照明用ランプの点消灯状態の変更が設定される。すなわち、図４に示すように、番号（１−１−２）の照明回路２に対応する照明用ランプの点灯から消灯への変更は、表示画面２１において表示領域２１Ｃが明るくなって消灯の文字が表示されることによって表され、番号（１−６４−３）の照明回路２に対応する照明用ランプの消灯から点灯への変更は、表示領域２１Ｂが明るくなって点灯の文字が表示されることによって表される。
【００４６】
そして、点消灯設定手段１０により照明用ランプの点消灯状態が変更されるように設定されると、主制御部１６は、オン／オフ回数比較手段１３を動作させる。オン／オフ回数比較手段１３は、記憶部１２に記憶されている前日の全ての照明回路２のオン／オフの回数を読み出し、それぞれのオン／オフの回数と、記憶部１２に記憶されている予め設定した基準値例えば１０回を比較して、当該比較に応じた信号を出力する。すなわち、オン／オフ回数比較手段１３は、全ての照明回路２の前日のオン／オフの回数が基準値を下回っているとロウ信号を出力し、全ての照明回路２のうちの１つの照明回路２の前日のオン／オフの回数が基準値以上であるとハイ信号を出力する（ステップＳ３）。
【００４７】
そして、主制御部１６は、オン／オフ回数比較手段１３からロウ信号が出力されると、確認操作処理（ステップＳ４）に移行して照明用ランプの点消灯制御を行う。また、オン／オフ回数比較手段１３からハイ信号が出力されると、応答表示処理（ステップＳ８）に移行して照明用ランプの点消灯制御を行う。
【００４８】
確認操作処理（ステップＳ４）に移行すると、図９において、主制御部１６は、制御確認画面生成手段１４を動作させる。制御確認画面生成手段１４は、図６に示すように、確認メッセージ２３Ｃ（照明用ランプの点消灯制御の可否）を有する表示画面２３を表示装置８の画面に表示させる（ステップＳ５）。図６は、図４における番号（１−６４−３）の照明回路２のように、点消灯設定手段１０により照明用ランプが消灯から点灯に変更されるように設定された状態を表示している。
【００４９】
そして、操作者は、入力手段７の誤操作などがなく、消灯から点灯への当該変更を行うときは、表示領域２３Ａにポインタ２２を移動させてマウスをクリックする。これにより、点消灯可否設定手段１５は、照明用ランプの点消灯制御を許可に設定する。また、操作者は、入力手段７を誤って操作するなどして、消灯から点灯への当該変更を行いたくないときは、表示領域２３Ｂにポインタ２２を移動させてマウスをクリックする。これにより、点消灯可否設定手段１５は、照明用ランプの点消灯制御を拒否（不許可）に設定する。このようにして、操作者の入力手段７の操作により、点消灯設定手段１０により設定された照明用ランプの点消灯状態の変更が点消灯可否設定手段１５により許可または拒否（不許可）に設定される（ステップＳ６）。
【００５０】
主制御部１６は、点消灯可否設定手段１５により照明用ランプの点消灯制御が許可に設定されると、当該照明用ランプに対応する照明回路２のオン／オフ状態が逆の状態に変更される制御信号を出力インターフェース（Ｉ／Ｆ）部１８から出力させ、当該照明用ランプの点消灯を制御する（ステップＳ７）。例えば、図４における番号（１−１−２）の照明回路２に対応する照明用ランプは、点灯から消灯される。また、番号（１−６４−３）の照明回路２に対応する照明用ランプは消灯から点灯される。
【００５１】
そして、主制御部１６は、点消灯可否設定手段１５により照明用ランプの点消灯制御が拒否（不許可）に設定されると、当該照明用ランプに対応する照明回路２のオン／オフ状態の制御信号を変更させず、照明用ランプの点消灯状態を変更させない。すなわち、図４における番号（１−１−２）の照明回路２に対応する照明用ランプは、消灯されることなく点灯状態を維持する。また、番号（１−６４−３）の照明回路２に対応する照明用ランプは、点灯されることなく消灯状態を維持する。そして、点消灯設定手段１０による照明用ランプの点消灯状態の変更は、自動的に解除される。このように、オン／オフ回数比較手段１３の出力信号のロウ信号に応じて、表示装置８の画面に確認メッセージ２３Ｃが表示されて、この確認メッセージ２３Ｃに対する確認操作により、照明用ランプの点消灯の変更が実行される。
【００５２】
また、応答表示処理（ステップＳ８）に移行すると、図１０において、主制御部１６は、点消灯設定手段１０により点消灯状態が変更されるように設定された照明用ランプに対応する照明回路２のオン／オフ状態が逆の状態に変更される制御信号を出力インターフェース（Ｉ／Ｆ）部１８から出力させ、当該照明用ランプの点消灯を制御する（ステップＳ９）。すなわち、図４における番号（１−１−２）の照明回路２に対応する照明用ランプは、点灯から消灯に制御され、番号（１−６４−３）の照明回路２に対応する照明用ランプは消灯から点灯に制御されるようになる。
【００５３】
そして、主制御部１６は、当該照明用ランプを点消灯制御したときに、操作応答画面生成手段１７を動作させる。操作応答画面生成手段１７は、図７に示すように、主制御部１６による当該照明用ランプの点消灯制御の完了の表示画面２４を表示装置８の画面に表示させる（ステップＳ１０）。図７は、図４における番号（１−６４−３）の照明回路２のように、点消灯設定手段１０により消灯から点灯に変更されるように設定された照明用ランプに対する表示である。操作者は、表示画面２４を視認することにより、点消灯設定手段１０により点消灯状態が変更されるように設定された照明用ランプに対して、その点消灯制御されたことを確認することができる。このように、オン／オフ回数比較手段１３の出力信号がハイ信号であると、表示装置８の画面に確認メッセージ２３Ｃが表示されず、直接的に照明用ランプの点消灯の変更が実行される。
【００５４】
上述したように、点消灯設定手段１０により照明用ランプの点消灯状態が変更されるように設定されたときに、前日の照明回路２のオン／オフの回数が予め設定した基準値を下回っていると、表示装置８の画面に照明用ランプの点消灯制御の可否を判断する確認メッセージ２３Ｃを有する表示画面２３が表示されて、この表示画面２３において、照明用ランプの点消灯の変更の確認が行える。したがって、照明用ランプが誤って点消灯されることが抑制される。
【００５５】
また、消灯設定手段１０により照明用ランプの点消灯状態が変更されるように設定されたときに、前日の照明回路２のオン／オフ回数が予め設定した基準値以上であると、主制御部１６の制御により照明回路２のオン／オフ状態が逆の状態に変更される制御信号が出力されて照明用ランプの点消灯が変更され、当該照明用ランプの点消灯制御の完了の表示画面２４が表示装置８の画面に表示されるので、照明用ランプの点消灯の変更の確認が省略され、入力手段７の操作が簡略化される。すなわち、入力手段７の操作時間が短縮化され、当該操作に対する煩わしさが解消される。
【００５６】
なお、点消灯状態画面生成手段９により表示装置８の画面に表示される表示画面において、照明用ランプの点灯／消灯の状態を表す表示は、図３に示すように、点灯、消灯の文字である必要はなく、これらを区別できる文字や図形であってもよい。また、同じ文字や図形であって、表示色が異なるようにしていてもよい。また、図３の表示領域２１Ｂ，２１Ｃのように、表示領域を区別する必要はなく、同一領域に表示するようにしてもよい。すなわち、文字、図形またはこれらの表示色の少なくとも一方を異ならせて互いに点灯／消灯の状態が視認できるように表示されていればよい。
【００５７】
また、オン／オフ回数比較手段１３は、前日のオン／オフの回数に限らず、所定期間例えば半日あるいは２日間のオン／オフの回数と基準値を比較するようにしてもよい。
【００５８】
次に、本発明の第２の実施形態について述べる。
【００５９】
図１１〜図１３は、本発明の第２の実施形態を示し、図１１は照明制御システムを構成する照明制御装置のブロック図、図１２は照明回路に対するオン／オフ制御の許可／禁止の状態を示し、（ａ）は表示画面図、（ｂ）は記憶させるフラッグ図、図１３は照明用ランプの点消灯制御のフロー図である。なお、図１〜図２と同一部分には同一符号を付して説明は省略する。
【００６０】
図１１に示す照明制御装置２５は、図２に示す照明制御装置３と同様、照明制御システムを構成するものであり、照明制御装置３に許可／禁止画面生成手段２６および許可／禁止設定手段２７を具備して構成されている。
【００６１】
許可／禁止画面生成手段２６は、表示装置８の画面に表示されたメニューモードの中から、入力手段７の操作により選択された許可／禁止の状態のモードにしたがい、照明回路２をオン／オフ制御することができるように許可されている状態または照明回路２をオン／オフ制御することができないように禁止されている状態を、例えば図１２（ａ）に示す表示画面２８のように、照明回路２毎に表示装置８の画面に表示させるように構成されている。この表示画面２８は、照明回路２毎に、照明回路２の番号（アドレス）の表示領域２８Ａ、この表示領域２８Ａに並設された表示領域２８Ｂを有し、さらに表示領域２８Ｂ内に許可および禁止の文字が表示され、かつ許可および禁止のそれぞれの文字に並設された選択領域２９ａ，２９ｂを有して形成されている。そして、選択領域２９ａ，２９ｂにドット３０を有している許可または禁止の文字に対応して、当該照明回路２に対する上記許可の状態または禁止の状態が設定されている。
【００６２】
なお、表示装置８の画面には、所定の数量の照明回路２に対する照明回路２のオン／オフ制御の許可／禁止の状態が表示され、表示画面２８をスクロールすることによって、順次、各照明回路２に対する当該許可／禁止の状態が表示領域２８Ｂに表示されるようにしている。
【００６３】
許可／禁止設定手段２７は、表示装置８の画面に表示された許可／禁止画面生成手段２６による表示画面２８において、入力手段７の操作により、照明回路２に対するオン／オフ制御の許可／禁止の状態を変更して設定するように構成されている。図１２（ａ）において、例えば、番号（１−１−３）の照明回路２に対するオン／オフの制御を許可から禁止に変更するとき、禁止の選択領域２９ｂにマウスのポインタ（図示しない。）を移動させ、マウスでクリックすることにより、当該照明回路２に対するオン／オフ制御が禁止の状態に設定される。このとき、許可の選択領域２９ａのドット３０が消え、禁止の選択領域２９ｂにドット３０が表示される。また、番号（１−６４−２）の照明回路２に対するオン／オフ制御を禁止から許可に変更するとき、許可の選択領域２９ａにマウスのポインタ（図示しない。）を移動させ、マウスでクリックすることにより、当該照明回路２に対するオン／オフ制御が許可の状態に設定され、禁止の選択領域２９ｂのドット３０が消え、許可の選択領域２９ａにドット３０が表示される。
【００６４】
そして、許可／禁止設定手段２７により設定された照明回路２に対するオン／オフ制御の許可／禁止の状態は、照明回路２毎に不揮発性の記憶部１２に記憶される。記憶部１２は、図１２（ｂ）に示すように、当該オン／オフ制御の許可／禁止の状態を２値のフラッグで記憶している。図１２（ｂ）において、「ＯＦＦ」は、照明回路２に対するオン／オフ制御が許可の状態を示し、「ＯＮ」は、同じく禁止の状態を示している。
【００６５】
そして、主制御部１６は、点消灯設定手段１０により照明用ランプの点消灯状態が変更されるように設定されると、記憶部１２から当該照明用ランプに対応する照明回路２に対するオン／オフ制御の許可／禁止の状態を読み出し、当該照明回路２に対してオン／オフ制御が許可の状態であると判断すると、当該照明回路２のオン／オフ状態が逆の状態に変更される制御信号を出力させ、照明用ランプの点消灯を制御するように形成されている。例えば、図４において、番号（１−６４−３）の照明回路２に対応する照明用ランプの点消灯状態が消灯から点灯に設定されたとき、図１２（ｂ）に示すように、記憶部１２に記憶されている当該照明回路２に対するオン／オフ制御が許可の状態であるので、主制御部１６は、番号（１−６４−３）の照明回路２をオンにさせて、当該照明回路２に接続されている照明装置６の照明用ランプを点灯させる。一方、照明用ランプの点消灯状態が点灯から消灯に設定された番号（１−１−２）の照明回路２に対しては、記憶部１２に記憶されている当該照明回路２に対するオン／オフ制御が禁止の状態であるので、主制御部１６は、番号（１−１−２）の照明回路２に対する制御を行わず、当該照明回路２を引き続きオンにさせて、当該照明回路２に対応する照明用ランプを点灯状態に維持させる。
【００６６】
次に、本発明の第２の実施形態の作用について述べる。
【００６７】
図１３は、照明用ランプの点消灯状態を変更したときの照明制御装置２５におけるフロー図であり、以下、図１３に基づいて説明する。
【００６８】
例えば、図３に示す表示画面２１において、マウスなどの入力手段７により、点消灯の変更を行う照明用ランプの点消灯状態を選択する。すると、図４に示すように、点消灯設定手段１０により、変更される照明用ランプの点消灯状態が設定される（ステップＳ１）。すなわち、図４において、番号（１−１−２）の照明回路２に対応する照明用ランプが点灯から消灯に変更されるように設定され、最後に、番号（１−６４−３）の照明回路２に対応する照明用ランプを消灯から点灯に変更するように設定される。
【００６９】
点消灯設定手段１０により照明用ランプの点消灯状態が変更されるように設定されると、主制御部１６は、当該設定された照明用ランプに対応する照明回路２に対するオン／オフ制御の許可／禁止の状態を記憶部１２から読み出し、許可または禁止の判別を行う（ステップＳ２）。
【００７０】
そして、主制御部１６は、当該照明回路２に対するオン／オフ制御が禁止の状態であると、変更されるように設定された照明用ランプを点消灯制御しないとともに、点消灯制御が禁止されていることを表示装置８の画面に表示された表示画面に表示させる（ステップＳ３）。例えば、図４において、番号（１−１−２）の照明回路２に対応する照明用ランプの点消灯状態が点灯から消灯に設定されたとき、記憶部１２に記憶されている当該照明回路２に対するオン／オフ制御の許可／禁止の状態は、図１２（ｂ）に示すように、禁止の状態であるので、主制御部１６は、番号（１−１−２）の照明回路２に対するオン状態を維持して当該照明回路２に対応する照明用ランプの点灯を継続させる。また、図４の表示画面２１において、点消灯設定手段１０に対して、番号（１−１−２）の照明回路２の表示領域２１Ｃの消灯の文字を消灯させて、当該表示領域２１Ｃに、例えば赤の表示色で禁止の文字を点滅して表示させる。操作者は、この禁止の文字を視認することにより、番号（１−１−２）の照明回路２をオン／オフ制御することができないように禁止されている状態であり、当該照明回路２に対応している照明用ランプを点灯から消灯に変更できないことを認識することができる。
【００７１】
そして、主制御部１６は、禁止の状態を表示させた後、点消灯設定手段１０に対して、変更されるように設定した照明用ランプの点消灯状態を解除させる（ステップＳ４）。
【００７２】
ステップＳ２において、主制御部１６は、当該照明回路２に対するオン／オフ制御が許可の状態であると、変更されるように設定された照明用ランプの点消灯制御が許可されていることを表示装置８の画面に表示された表示画面に表示させる（ステップＳ５）。そして、当該照明回路２のオン／オフ状態が逆の状態に変更される制御信号を出力インターフェース（Ｉ／Ｆ）部１８から当該照明回路２に出力させ、当該照明回路２をオン／オフ制御する。これにより、当該照明回路２に対応している照明用ランプの点消灯状態が変更される（ステップＳ６）。
【００７３】
例えば、図４において、番号（１−６４−３）の照明回路２に対応する照明用ランプの点消灯状態が消灯から点灯に設定されたとき、記憶部１２に記憶されている当該照明回路２に対するオン／オフ制御の許可／禁止の状態は、図１２（ｂ）に示すように、許可の状態である。したがって、主制御部１６は、表示画面２１において、点消灯設定手段１０に対して、番号（１−６４−３）の照明回路２の表示領域２１Ｂの点灯の文字を例えば緑の表示色に変換して表示させる。操作者は、この点灯の文字の色変化を視認することにより、番号（１−６４−３）の照明回路２をオン／オフ制御することができるように許可されている状態であり、当該照明回路２に対応している照明用ランプが消灯から点灯に変更されることを認識することができる。そして、当該照明用ランプは、主制御部１６により点灯制御される。
【００７４】
なお、上記ステップＳ５およびステップＳ６の実行は、図８において説明したように、オン／オフ回数比較手段１３の出力信号に応じて、図９に示す確認操作処理または図１０に示す応答表示処理に基づいてなされる。
【００７５】
そして、照明用ランプの点消灯状態の変更を行う照明回路２に対して、上述を繰り返す（ステップＳ７）。なお、照明用ランプの点消灯制御を順次行わず、点消灯状態を変更させる全ての照明用ランプに対して点消灯状態の変更を設定した後、一括して点消灯制御させるようにしてもよい。
【００７６】
上述したように、点消灯設定手段１０により照明用ランプの点消灯状態が変更されるように設定されたときに、当該照明用ランプに対応する照明回路２をオン／オフ制御することができないように禁止されている状態であると、当該照明用ランプを点消灯することができない。したがって、予め点消灯状態を変更させたくない照明用ランプに対応する照明回路２に対して、オン／オフ制御することができないように禁止の状態を設定することにより、点消灯状態を変更させたくない照明用ランプが誤って点消灯されることが防止される。
【００７７】
なお、許可／禁止画面生成手段２７により表示装置８の画面に表示される表示画面において、照明回路２に対するオン／オフ制御の許可／禁止の状態を示す表示は、図１２（ａ）に示すように、許可、禁止の文字である必要はなく、これらを区別できる文字、図形または異なる表示色であってもよい。すなわち、文字、図形またはこれらの表示色の少なくとも一方を異ならせて互いに許可／禁止の状態が視認できるように表示されていればよい。また、照明回路２の表示に対しても、文字に限らず、図形や絵文字などで表示されていてもよい。
【００７８】
次に、本発明の第３の実施形態について述べる。
【００７９】
図１４〜図１７は、本発明の第３の実施形態を示し、図１４は照明制御システムを構成する照明制御装置のブロック図、図１５は照明回路のグループ化の設定を示す表示画面図、図１６はグループ別の点消灯状態を示す表示画面図、図１７はグループ別の点消灯状態の変更を示す表示画面図である。なお、図１１と同一部分には同一符号を付して説明は省略する。
【００８０】
図１４に示す照明制御装置３１は、図２に示す照明制御装置３または図１１に示す照明制御装置２５と同様、照明制御システムを構成するものであり、照明制御装置２５にグループ設定画面生成手段３２、グループ設定手段３３およびグループ設定用点消灯制御設定手段３４を具備して構成されている。なお、照明制御装置３にグループ設定画面生成手段３２、グループ設定手段３３およびグループ設定用点消灯制御設定手段３４を具備して構成してもよい。
【００８１】
グループ設定画面生成手段３２は、表示装置８の画面に表示されたメニューモードの中から、入力手段７の操作により選択されたグループ設定のモードにしたがい、照明回路２およびグループ名の状態を例えば一覧表で表示装置８の画面に表示させるように構成されている。一例として、図１５に、表示装置８の画面に表示された照明回路２をグループに設定する状態の一覧表３５，３６の表示画面３７を示す。この表示画面３７において、一覧表３５には、全ての照明回路２に対して、照明回路２を特定する表示領域３５Ａおよび照明回路２に対応する照明用ランプの点消灯状態を表示する表示領域３５Ｂが形成されている。そして、全ての照明回路２には番号が付与され、その番号がそれぞれの表示領域３５Ａに表示されている。また、一覧表３６には、グループ毎に、グループ名およびグループを構成する照明回路２の番号がそれぞれ表示される表示領域３６Ａおよび表示領域３６Ｂが形成されている。グループ名および照明回路２の番号は、入力手段７としてのキーボードを操作することにより入力され、任意に設定することができる。
【００８２】
グループ設定手段３３は、表示装置８の画面に表示されたグループ設定画面生成手段３２による表示画面３７において、入力手段７の操作により、照明回路２を任意のグループに設定するように構成されている。図１５において、例えば、番号（１−１−１）〜（１−１−４）の照明回路２をグループ名（１−１）のグループに設定するときは、グループ名（１−１）の表示領域３６Ａにマウスのポインタ２２を移動させて、マウスでクリックした後、キーボードで番号（１−１−１）〜（１−１−４）を入力する。あるいは、順次、番号（１−１−１）〜（１−１−４）の表示領域３５Ａにポインタ２２を移動させてクリックする。そして、当該グループの設定を終了するときは、再び、グループ名（１−１）の表示領域３６Ａにポインタ２２を移動させてクリックする。このとき、グループ名（１−１）の表示領域３６Ｂに、グループ化した照明回路２の番号（１−１−１）〜（１−１−４）が表示される。そして、グループ名（１−２）〜グループ名（１−６４）のそれぞれのグループの設定（グループ化）についても、同様である。
【００８３】
グループ設定用点消灯制御設定手段３４は、グループ設定手段３３により照明回路２をグループ化しているとき、あるいは照明回路２をグループ化したとき、主制御部１６に対して、グループ化している照明回路２あるいはグループ化した照明回路２を一次的にオンまたはオフさせて当該照明回路２に対応する照明用ランプを一次的に点灯または消灯させるとともに、この点灯または消灯の状態を表示装置８の画面に表示させるように構成されている。
【００８４】
図１５において、照明回路２をグループ化するとき、主制御部１６により、全ての照明回路２はオフに制御されて、当該照明回路２に対応する照明用ランプは消灯している。これにより、一覧表３５の表示領域３５Ｂにおける照明用ランプの点消灯状態は、当初、消灯に表されている。消灯は、図中、網掛けで表示している。
【００８５】
そして、例えば、番号（１−１−１）〜（１−１−４）の照明回路２をグループ名（１−１）のグループに設定しているとき、例えばキーボードで番号（１−１−１）を入力すると、主制御部１６により、当該番号（１−１−１）の照明回路２がオンに制御される。そして、一覧表３５の当該番号（１−１−１）の照明回路２の表示領域３５Ｂに点灯の表示がなされる。そして、順次、番号（１−１−２）〜（１−１−４）を入力していくと、同様に、それぞれの番号の照明回路２の表示領域３５Ｂに点灯の表示がなされる。この点灯したことを視認することにより、グループ名（１−１）のグループに入力している照明回路２が正しく設定されていることを表示画面３７において確認される。グループ名（１−２）〜グループ名（１−６４）のグループの設定においても、同様である。また、当初、全ての表示領域３５Ｂに点灯を表示させ、グループ化する照明回路２の入力に応じて消灯させても同様の確認が行える。なお、照明用ランプを一次的に点灯または消灯させる期間は、前記確認を要する期間であればよく、少なくとも照明回路２が１つのグループに設定された後にリセットされる。
【００８６】
そして、記憶部１２は、図１１の照明制御装置２５において説明した構成に加え、照明回路２のグループ化された状態を記憶するように構成されている。すなわち、図１５の一覧表３６におけるグループ毎に、グループのグループ名および当該グループにグループ化された照明回路２の番号が記憶されている。
【００８７】
点消灯状態画面生成手段９は、図１１の照明制御装置２５において説明した構成に加え、入力手段７の操作により、照明用ランプの点消灯状態をグループ別に表示装置８の画面に表示させるように構成されている。図１６に、一例として、表示装置８の画面に表示されたグループ別の照明用ランプの点消灯状態の表示画面３８を示す。この表示画面３８は、図３に示す表示画面２１おいて、照明回路２毎の点消灯状態がグループ別の点消灯状態の表示に表されたものであり、他の構成は、表示画面２１と同様である。表示画面３８において、グループ別の現在の点消灯状態が視認される。
【００８８】
点消灯設定手段１０は、図１１の照明制御装置２５において説明した構成に加え、点消灯状態画面生成手段９により表示装置８の画面に表示された表示画面３８において、入力手段７の操作により、照明用ランプの点消灯状態の変更をグループ別に設定するように構成されている。図１６において、例えば、例えばグループ名（１−２）のグループの照明用ランプを点灯から消灯に変更すると、図１７に示すように、消灯に設定される。また、グループ名（１−６３）のグループの照明用ランプを消灯から点灯に変更すると、図１７に示すように、点灯に設定される。そして、当該変更の入力手段７の操作および表示画面３８における表示状態の変化などは、図３〜図４における説明と同様である。
【００８９】
そして、主制御部１６は、点消灯設定手段１０により照明用ランプの点消灯状態がグループ別に変更されるように設定されると、当該グループの照明回路２のオン／オフ状態が逆の状態に変更される制御信号を出力インターフェース（Ｉ／Ｆ）部１８から出力させ、当該グループの照明回路２に対応している照明用ランプの点消灯を制御するように構成されている。例えば、図１７において、グループ名（１−２）のグループの点消灯状態が点灯から消灯に設定されたとき、主制御部１６は、記憶部１２に記憶されている照明回路２のグループ化された状態から当該グループの照明回路２の番号（１−２−１）〜（１−２−４）を判別し、この番号（１−２−１）〜（１−２−４）の照明回路２をそれぞれオフにする制御信号を出力させて、番号（１−２−１）〜（１−２−４）の照明回路２をオフさせる。これにより、番号（１−２−１）〜（１−２−４）の照明回路２に接続されている照明装置６の照明用ランプは消灯する。
【００９０】
また、グループ名（１−６３）のグループの点消灯状態が消灯から点灯に設定されたとき、主制御部１６は、記憶部１２に記憶されている照明回路２のグループ化された状態から当該グループの照明回路２の番号（１−６３−１）〜（１−６３−４）を判別し、この番号（１−６３−１）〜（１−６３−４）の照明回路２をそれぞれオンにする制御信号を出力させて、番号（１−６３−１）〜（１−６３−４）の照明回路２をオンさせる。これにより、番号（１−６３−１）〜（１−６３−４）の照明回路２に対応している照明用ランプは点灯する。
【００９１】
そして、主制御部１６は、図２の照明制御装置３または図１１の照明制御装置２５において説明したように、照明回路２を個別に制御して、照明用ランプを個別に点消灯させることができる。
【００９２】
上述したように、照明回路２をグループ化しているとき、あるいは照明回路２をグループ化したとき、グループ設定用点消灯制御設定手段３４が動作して、主制御部１６に対して、グループ化している照明回路２あるいはグループ化した照明回路２に対応する照明用ランプを一次的に点灯または消灯させて、点灯または消灯の状態を表示画面３８において表示させるので、表示画面３８の点灯または消灯の状態を視認することにより、照明回路２のグループ化が正しく設定されているか否かが容易に確認される。そして、グループ毎に、照明用ランプの点消灯状態が変更可能となる。
【図面の簡単な説明】
【００９３】
【図１】本発明の第１の実施形態を示す照明制御システムであり、（ａ）は照明主盤を有するブロック図、（ｂ）は照明主盤を有しないブロック図。
【図２】同じく、照明制御装置のブロック図。
【図３】同じく、照明用ランプの点消灯状態を示す表示画面図。
【図４】同じく、照明用ランプの点消灯状態の変更を示す表示画面図。
【図５】同じく、記憶部に記憶されている照明回路のオン／オフの回数であり、（ａ）は当日および前日の回数の表示図、（ｂ）は日にちが更新されたときの回数の表示図。
【図６】同じく、照明用ランプの点消灯制御の可否を示す表示画面図。
【図７】同じく、照明用ランプの点消灯の制御の完了を示す表示画面図。
【図８】同じく、照明用ランプの点消灯状態の変更を示すフロー図。
【図９】同じく、照明用ランプの点消灯制御の可否のフロー図。
【図１０】同じく、照明用ランプの点消灯制御の完了のフロー図。
【図１１】本発明の第２の実施形態を示す照明制御システムを構成する照明制御装置のブロック図。
【図１２】同じく、照明回路に対するオン／オフ制御の許可／禁止の状態を示し、（ａ）は表示画面図、（ｂ）は記憶させるフラッグ図。
【図１３】同じく、照明用ランプの点消灯制御のフロー図。
【図１４】本発明の第３の実施形態を示す照明制御システムを構成する照明制御装置のブロック図。
【図１５】同じく、照明回路のグループ化の設定を示す表示画面図。
【図１６】同じく、グループ別の点消灯状態を示す表示画面図。
【図１７】同じく、グループ別の点消灯状態の変更を示す表示画面図。
【符号の説明】
【００９４】
１…照明制御システム
２…照明回路
８…表示手段としての表示装置
１１…オン／オフ回数カウント手段
１２…記憶手段としての記憶部
１３…オン／オフ回数比較手段
１４…制御手段を構成する制御確認画面生成手段
１５…制御手段を構成する点消灯可否設定手段
１６…制御手段を構成する主制御部
２７…許可／禁止設定手段
【図１】
2005166272.tif 000003
【図２】
2005166272.tif 000004
【図３】
2005166272.tif 000005
【図４】
2005166272.tif 000006
【図５】
2005166272.tif 000007
【図６】
2005166272.tif 000008
【図７】
2005166272.tif 000009
【図８】
2005166272.tif 000010
【図９】
2005166272.tif 000011
【図１０】
2005166272.tif 000012
【図１１】
2005166272.tif 000013
【図１２】
2005166272.tif 000014
【図１３】
2005166272.tif 000015
【図１４】
2005166272.tif 000016
【図１５】
2005166272.tif 000017
【図１６】
2005166272.tif 000018
【図１７】
2005166272.tif 000019